(57)【要約】      （修正有）【課題】小児の遊具又は成人のリハビリに用いる握り手玉であって、充填物を入れた袋が破裂しても内容物が飛散しないように弾性体チップや粉体を充填した外袋をさらに化粧外袋でカバリングした握り手玉の提供。【解決手段】弾性体チップ２，帯磁性弾性体チップ４，粉体等を適宜組み合わせて充填材とし、この充填材を織地又は編地で作った袋又はゴム風船の外袋１に充填し、前記外袋を触感が柔らかい緻密な織地又は編地で作った化粧外袋でさらにカバリングして弾性変形性、塑性変形性等の感触が適宜得られるように構成した握り手玉。【選択図】図４
0003107281.tif 000002
【実用新案登録請求の範囲】
【請求項１】
小児の遊具又は成人のリハビリに用いる握り手玉であって、該握り手玉の充填材を弾性体のチップで構成し、該チップをてのひら内に把持できる大きさの伸縮性を有する外袋に充填して構成してなる握り手玉。
【請求項２】
前記充填材が粉体を付加したものである請求項１記載の握り手玉。
【請求項３】
前記弾性体が帯磁性弾性体である請求項１に記載の握り手玉。
【請求項４】
前記弾性体のチップがゴム材を小片又は粒状化したものである請求項１乃至３のいずれか１項に記載の握り手玉。
【請求項５】
前記弾性体のチップがゴム状弾性樹脂材を小片又は粒状化したものである請求項１乃至３のいずれか１項に記載の握り手玉
【請求項６】
前記外袋がゴム風船である請求項１乃至５のいずれか１項に記載の握り手玉。
【請求項７】
前記外袋が織地又は編地を基材として形成した袋である請求項１乃至５のいずれか１項に記載の握り手玉。
【請求項８】
前記外袋を触感が柔らかい緻密で伸縮性を有する布で袋状に形成した化粧外袋でカバリングした請求項１乃至７のいずれか１項に記載の握り手玉。
【請求項９】
小児の遊具又は成人のリハビリに用いる握り玉であって、粉体を充填材とし、前記充填材を掌中に把握できる大きさのゴム状弾性を有する外袋に充填し、前記ゴム状弾性を有する外袋を触感が柔らかい緻密な伸縮性を有する布で形成した化粧外袋でカバリングしてなる握り手玉。
【請求項１０】
前記握り手玉の外袋又は化粧外袋に複数の疣状の突出部を付設してなる請求項７乃至９のいずれか１項に記載の握り手玉。
【考案の詳細な説明】
【技術分野】
【０００１】
本考案は指先の感覚の発達や、手や指の筋力向上のためのトレーニング、幼児のグループ遊びや大人のリハビリに使用できる用具に関する。
【背景技術】
【０００２】
幼児や子供の指先は、お手玉・おはじき・コマ回し等の遊びで成長と共に触覚が発達し手先も年を追って器用になるものである。
布製の袋に小豆等の穀類を入れたお手玉では指と腕の運動能力の発達促進には有効であった。また、粘土細工や砂場遊び等でさらに指先の触覚が発達し、造形や色彩に対する啓発を助けるものであることは良く知られているところである。
【０００３】
近時、従来の遊具では前述のような遊具では運動的・情緒的発達が十分期待できない幼児や子供に対する対応が求められてきている。それは学習障害児、自閉症児に対しては経験上から直接対象に手で触れた時の感触から感覚機能の発育を促進させることがあるとの指摘があり、従来の遊具をこのような児童に使用でき、且つ感覚機能の発育にも有効な遊具が求められるようになっている。
【０００４】
このような遊具は成人を含む障害者のリハビリテーション（略称リハビリ）にも非常に役立つものであると考えられている。
指先の感覚の発達や手指のリハビリ用に開示されたものとしては特許文献１の図１がある。図１において、ゴム状弾性体からなる袋状の外皮内に常温流動性を有し、且つ塑性変形可能な充填材を充当して構成し、外皮上に模様・人の目を連想させる文様、髪の毛を連想させる毛髪状部材等を適宜配置して人形を構成したものである。
【特許文献１】実用新案登録第３０９３５４６号    図１
【考案の開示】
【考案が解決しようとする課題】
【０００５】
特許文献１で開示されている手や指先の触覚の発達を促進するための人形は、充填材のもつ常温可塑性を利用して人形のもつ顔貌のさまざまな変化を指先で造形出来る点で、上記当初の目的はある程度達成できるものと考えられる。
【０００６】
しかし、常温可塑性があるため弾力性がないので、指先の動作を繰り返すことによる発達の促進効果や指の筋力トレーニング効果は得にくいという問題があった。
また、常温可塑性を得るための充填材にゼリー状流動物・粘土・ビーズ等の粒状物、小麦粉・片栗粉・ふすま等の粉体を充填しているが、流動物や粉体をゴム状弾性の外皮に充填している場合、繰り返し指先で変形させていると外皮が破裂し、充填物が流出又は噴出し、衣服や手を汚したり、広く周囲に散乱して収拾に苦労するという問題があった。
また、ひどいときには目に入るような事態も起きるという問題があった。
【０００７】
本考案は従来技術の有するこのような問題に鑑みなされたものであり、その目的とするところは充填材の弾性体チップ・帯磁性弾性体チップ・粉体等を伸縮性を有する外袋に充填し、把持したときに手のひらや指先に弾力性や塑性変形性が感じられる握り手玉、指先の触感機能の向上のために感触の良い伸縮布で形成した外袋に前記充填材を充填した握り手玉、粉体や流動体を充填した俊宿性ある外袋が破裂した場合に周囲に散乱することのないよう保護するカバリング用の化粧外袋を付した握り手玉、手のひらの触感を刺激するように把持面に突起部を付した握り手玉等を提供する。
【課題を解決するための手段】
【０００８】
請求項１に記載の考案は、小児の遊具又は成人のリハビリに用いる握り手玉であって、該握り手玉の充填材を弾性体チップで構成し、該チップをてのひら内に把持できる大きさの伸縮性を有する外袋に充填して構成してなるものである。
【０００９】
請求項１の発明によれば、握り手玉の充填材に弾性体のチップを使用し弾性変形性を付与するようにしたものである。ここで弾性材とは、天然ゴムや合成ゴム等を、ゴム状弾性樹脂材としては例えば塩化ビニル系、ウレタン系のゴム状弾性体をいう。
また、充填材とは、外側を包む外皮に相当する外袋に充填される内容物であって、弾性体チップ、帯磁性弾性体チップ，粉体等をいうものである。
また、チップとは弾性体と紐状又はシート状に加工したものを切断し細片化したもの、又は成型により球状又は粒状にしたものを含むものである。
【００１０】
請求項２に記載の考案は、前記充填材に粉体を付加したものである。
請求項２の考案は粉体を付加したものであり、粉体のもつ塑性変形性と弾性体のもつ反撥性を併せて利用することができ、粉体の変形が粘土に似た触覚を指先に伝えさせることができる。ここで粉体とは人体に無害な粉であって小麦粉，片栗粉，ふすまに類するものをいう。また、ここで塑性変形性とは外力を取り去っても、粉末又は粒子集合体の外観形状の変形が残っていることをいうものとする。
【００１１】
請求項３に記載の考案は、前記弾性体が帯磁性弾性体である。
請求項３の考案によれば、帯磁性弾性体のチップを使用するのは帯磁性弾性体のチップの集合体は、チップの吸引力による一体化性がある。この集合体に外から力を加えると粘土のような塑性変形性をもっている点を利用することができる。ここで帯磁性弾性体とは、磁性粉体とゴム基剤とを練り合わせて紐状若しくはシート状に成形し、帯磁させたものを言う。
【００１２】
請求項４に記載の考案は、前記弾性体のチップがゴム材を小片又は粒状化したものである。
請求項４の考案によれば、チップのゴム材が天然ゴム又は合成ゴム等の場合には原形回復性を有する。更に、指先で圧力を加えた時の反撥性から、指先のトレーニングに使用できる。
【００１３】
請求項５に記載の考案は、前記弾性体のチップがゴム状弾性樹脂材を小片又は粒状化したものである。
請求項５の考案によれば、チップが弾性体である塩化ビニル系，ウレタン系，フッ素系のゴム状弾性体を指している。なお、これらのゴム状弾性体は、ゴム状弾性体に磁性の粉末を練合させることにより帯磁性ゴム状弾性体を作り、紐状若しくは板状に成形し細片化加工してチップを得ることが出来る。
【００１４】
請求項６に記載の考案は、前記外袋がゴム風船である。
請求項６の考案によれば、充填材を入れる外袋のゴム風船は伸縮布で作った外袋に比し一般に強度が劣るので、袋の肉厚を破裂しにくい厚さにする必要がある。
【００１５】
請求項７に記載の考案は、前記外袋が織地又は編地を基材として形成した袋である。
請求項７の考案によれば、充填材を入れる外袋をゴム系又はゴム状弾性系を編み込み又は織り込んで作った織地又は編地で外袋を形成したものである。布の縫合から又は太さの異なる筒状編地から編地の両端を止めることにより自在に最終形状が作り出せるので種々の形状の握り手玉を作ることができる。織地と編地で作った握り手玉はゴム風船で作る握り手玉より耐久性が優れている。
【００１６】
請求項８に記載の考案は、前記外袋を触感が柔らかい緻密な伸縮性を有する布で袋状に形成した化粧外袋でさらにカバリングしたものである。
請求項８の考案によれば、充填材を内部に入れた外袋を例えばタオル地のような伸縮布で形成した化粧外袋でカバリングしたものである。
【００１７】
化粧外袋は手触り感が良く緻密な布を袋状に形成したもので、布に伸縮性があり、布の片側表面にパイル，電着等により柔らかい感触を付与し、指先の感覚に訴えるようにしたものである。繰り返し指先で押さえたり、手のひらで握ったりして使用回数が多くなり汚れた場合や、人手から人手への細菌の移行を防ぐために化粧外袋のみを取り外したりして洗濯清浄化して再カバリングして引き続き使用を続けることができる。
なお、伸縮布の基材や形成した袋に抗菌処理を施すことも可能である。
【００１８】
請求項９に記載の考案は、小児の遊具又は成人のリハビリに用いる握り手玉であって、粉体を充填材とし、前記充填材を掌中に把握できる大きさのゴム状弾性を有する外袋に充填し、前記ゴム状弾性を有する袋の外側を触感が柔らかい緻密な伸縮性を有する布で形成した化粧外袋でさらにカバリングしてなるものである。
【００１９】
請求項９の考案によれば、肉厚のゴム風船に粉体を充填し、さらにカバリングに化粧外袋を使用することにより滑らかな感触を得ることができる。粉体の散乱を生じないよう緻密な布地で形成した化粧外袋で外袋をさらにカバリングしているので、外袋の破裂で充填材の粉末が外に散乱することを防ぎ、小児や高齢者が握り手玉を安全に使用できる。
【００２０】
請求項１０の記載の考案は、前記握り手玉の外面に複数の疣状の突出部を付設してなるものである。
請求項１０の考案によれば、手のひらの触感を刺激して触感を呼び起こしたり把持力を補うために、外面に複数の疣状突出部を付設したものである。
特に、成人のリハビリテーションの用途に適合している。ここで突出部とは突出する形状を円板状，尖り先状等にゴム材又は樹脂材で形成した部分を言う。
【考案の効果】
【００２１】
本考案の握り手玉は、上述の手段により前記課題を解決するようにした結果、次に記載する効果を奏する。
【００２２】
請求項１の考案は、充填材が弾性材チップであるため、これが充填された握り手玉は弾力性があり、繰り返し把握する動作が可能で指先の筋力を強化できる効果を有する。
【００２３】
請求項２の考案は、弾性体チップと粉体で充填材を構成しているので塑性変形性と弾力性のいずれかの特性を適宜設定できるという効果を有する。
【００２４】
請求項３の考案は、充填材が帯磁性弾性体チップであるため、帯磁した細片は外力が加わり、互いの位置が変わっても吸着しているので、これが充填された握り玉は塑性変形性をもっている。従って、粘土細工時の指先の感触が得られるという効果を有する。
更に、強く手中に握られる場合には、弾性体である性質により適度の反撥性を発揮するという効果を有する。外袋から零れても着衣を汚すこともなく回収しやすいという効果を有している。
【００２５】
請求項４の考案は、紐状又はシート状に成形した弾性体を加工してチップ状にするので外袋に充填しやすく、チップの形状や大きさを替えることにより手触り感の異なる握り手玉を作ることができるという効果を有する。
【００２６】
請求項５の考案は、充填材がゴム状弾性樹脂材であるので、これ充填した外袋は手のひらに握り変形させた場合、チップを圧縮しチップの相互位置が保たれ全体として弾性的に変形する。従って指先でゴムまりのような触感が得られるので繰り返し動作をトレーニングとして指先に加えることができるという効果を有する。
【００２７】
請求項６の考案は、外袋はゴム風船であり握り手玉を手中で変形させたとき、握り手玉の変形も容易である。外袋を形成するゴム風船は手のひらへのなじみが良好であるという効果を有する。
【００２８】
請求項７の考案は、外袋が触感が柔らかい緻密な織地又は編地で形成されているので耐久性に優れているという効果を有する。また、握り手玉の形状を自在に作り出せるので大きさを含め新規のアイデアを発揮できるという効果を有する。
【００２９】
請求項８の発明は、握り手玉の外袋の外側を更に伸縮性を有する化粧外袋でカバリングしているので充填材が漏れ出ることもなく、又、汚れた時の手入れも行き届くので握り手玉を別人が使用する場合でも衛生的であるという効果を有する。
【００３０】
請求項９の考案は、粉体を例えばゴム風船のゴム状弾性を有する外袋中に充填し、さらに化粧外袋でカバリングするので感触が多様化できるとともに、ゴム風船が破裂したとき粉体が散乱して周囲を汚すことがないという効果を有する。
【００３１】
請求項１０の考案は、握り手玉の外袋または化粧外袋に突出部を付設することにより指先の機能をリハビリする際に手のひらを刺激して不足する把持力を助けるという効果を有する。
【考案を実施するための最良の形態】
【００３２】
以下に本考案の実施の形態を図面にもとづいて説明する。
図１は弾性体チップを充填した一部破断面としたゴム風船の外袋１の正面図、図２は塑性変形性を有する帯磁性弾性体チップを充填し、一部を破断面とした外袋１の中央部分に外力を加えてひさご形にして塑性変形性を見ることができる外袋１の正面図、図３（ａ）（ｂ）（ｃ）は伸縮布から外袋または化粧外袋を作る手順説明図、図４は図３の手順で作られた伸縮性ある外袋に弾性体チップ又は帯磁性弾性チップを充填した握り手玉の正面図である。図５は、図３に示す伸縮布で作った外袋に弾性体チップ２を充填し、更に化粧外袋１０でカバリングし一部を破断面とした握り手玉の正面図、図６は手のひらに納まる化粧外袋１０に複数の突出部９を付けた握り手玉の正面図、図７は、従来のお手玉に類似する握り手玉の斜視図である。
【実施例１】
【００３３】
図１において、一端に充填口１ａを有し、伸縮性を有する外袋であるゴム風船３はゴム弾性を有し、充填口１ａを予め拡大しておいて充填材を圧入する。外袋１は中の充填材で膨張し、充填材はゴムの反力で押圧される状態になる。
【００３４】
肉厚が薄くなると、手のひらで把握を繰り返すうちに爪先で表面に僅かな傷ができても破裂し充填物が飛散する。そのためゴム風船の当初の肉厚は通常空気で膨らますものより厚手にすることが望ましい。充填口１ａは弾力性があるので予め拡大しておけば小片の形状のものでも充填することができる。
【００３５】
弾性体チップ２はゴム状弾性体であって、天然ゴム又は合成ゴム又はウレタン系ゴム状弾性樹脂等を紐状又は板状に成形し切断加工によって細片に形成したもの、又はそれらの材料を球状又は米粒状に成形したものであり、細片又は粒が大きくなると感触が悪くなるので小さい方が良い。
また、外袋１はゴム風船３のように弾力性が必要であり、また容易に破裂しない膜強度が必要である。ゴム風船３の材質は天然ゴム，合成ゴム，ウレタン系ゴム状弾性樹脂が使用できる。
【００３６】
ゴム風船３の外袋は、コストが安価ではあるが耐久性が十分でない点がある。これを補うものとして伸縮布５で外袋１を形成したものを後述する。
なお、ゴム風船３に替えて伸縮性を持つ糸で緻密に編んだ筒状の編地に一端を結んで反転させてから充填材を入れる。一定量の充填材を入れた後充填材の上面近くを結わえて編地を切り離すと一層の外袋ができる。切り離しせず充填材を入れた部分を外からカバーするように円筒の編地を反転させ、反転させるごとに袋を閉じて多層の外袋１を作ることができる。多層に重ねて握り手玉を構成し外袋１を作ることが好ましい。このようにして形成した握り手玉では図４に示す縫目５ｅは生じない。
【実施例２】
【００３７】
図２において、帯磁性弾性体から加工した帯磁性弾性体チップ４をゴム風船３に充填した握り手玉である。帯磁性弾性体チップ４は天然ゴム又は合成ゴム又はウレタン系のゴム状弾性樹脂等と磁性粉末とを練り合わせ紐状又は板状に形成し着磁させた後細片に加工したものである。なお、成形時に球状又は米粒状にして着磁させることによっても得られる。
【００３８】
チップは大き過ぎると手触り感が悪くなるので米粒程度若しくはこれより小さい方が良い。帯磁性弾性体チップ４はゴマ粒程度の大きさでも良い。帯磁性弾性体チップ４をゴム風船３である外袋１に充填して握り手玉にしたとき、外袋１が破裂することがあっても帯磁性弾性体チップ４は磁力によって相互に吸着しているので飛散して散乱することがなく、万一飛散しても小さく固まって散乱するのみであり、流動体でもないので着衣を汚すことがなく帯磁性弾性体チップ４の回収も容易である。
【００３９】
帯磁性弾性体チップ４を充填した握り手玉は図２に示すように外力Ｆで中央部分を押圧すると塑性変形性を示す。この性質を利用して粘土造形のような状態をある程度感得することが可能である。弾性体チップ２を一部混入して充填することにより、塑性変形性に弾性的性質を付加して持たせることができるので、指先力のトレーニングや造形感覚の刺激の面で効果を上げることができる。
【実施例３】
【００４０】
図３において、伸縮布５例えば緻密な編地・織地の片面をパイル地又は電気植毛して手触り感を向上させた布を用いて弾力性ある外袋を製造する一例を説明する。
織地の場合はウレタン等の弾性糸が経糸又は緯糸の少なくともいずれか一方に用いられているものが適当である。
【００４１】
図３（ａ）において、伸縮布５のベース地５ａは緻密であり、且つ一方向に伸縮性が付与されている。布の一面に起毛パイル又はループパイルが形成され手触りが良い。
図３（ｂ）において、長方形の伸縮布５の二つの長辺側をパイル面を外側にして折り曲げ、魚釣り用テグス糸又はタイヤコード等の止め紐６を折り曲げた中に入れ縫目５ｃを入れた後パイル面を中にして折り畳み線で折り曲げて重ねる。
図３（ｃ）において、縫目５ｅを入れ重ね面を閉じる。最後に全体を反転させることにより弾性袋７が出来上がる。一端の止め紐６を結んで閉じ、更に閉じた外から止め紐を回して固く結ぶことにより完全に閉じることができる。
【００４２】
他端が開口しているので、ここから充填材を開口端に盛り上げる程入れ伸縮布５は樽状にふくらむことができるので押圧して紐６を閉じて結び、更に布の端部を首巻き状に回した紐６を完全に結ぶようにする。
後述する化粧外袋１０も外袋として使用する弾性袋７の作り方と同様な手順で作成することができる。伸縮布で作った外袋１は破裂する可能性が少ない利点がある。
伸縮布５で作った外袋１に弾性体チップ又は帯磁性弾性体チップを充填する。ゴム風船を外袋に用いる場合に比し耐久性の点で優れている。但し、粉体を充填することはできない。
粉体８を併用する場合には後述する化粧外袋１０を外袋１にカバリングする方が良い。特にゴム風船３に粉体８を充填する場合には化粧外袋１０でカバリングすることが望ましい。
【実施例４】
【００４３】
図５において、ゴム状弾性を有した袋状の外皮即ち外袋１に塑性変形性のなる充填材の粉体８を充填する。粉体８は小麦粉，片栗粉，ふすま等に類するものを含んでいる。
外袋１は、さらに化粧外袋１０でカバリングされている。化粧外袋１０は弾性糸例えばウレタン糸を織り込んだ伸縮布で袋状に作られている。
外袋１を化粧外袋１０の中に入れ上下端を止め紐６で固くとじることができる。粉体８の性質が化粧外袋１０を通して粘土の変形に似た塑性変形性の感触が指先に伝えられる。  ゴム風船３に粉体８を入れ、袋の表面を変形させるとき、化粧外袋１０の表面は例えば緻密な目のタオルのようにパイル地で被われているので感触が良く、心地よい手触りを感じさせる。
また、握り手玉は繰り返し使用していると、粉体８を入れた外袋１が破裂してしまうことがある。化粧外袋１０でカバリングしていると、粉体８を充填した外袋１が使用中に破裂しても粉体８が緻密な化粧外袋１０の中にあるので飛散するとこがなく、着衣や周辺を汚すことがない。
【００４４】
化粧外袋１０に使用する伸縮布５は表面の美観を整えるために適宜彩色したものを使用することができる。
例えば、紙風船のようにカラフルな色彩を用いても良い。また、サッカーボール文様やラグビーボール色でも良い。これらは幼児が親しみやすく近づきやすい印象をあたえるものとなる。
化粧外袋１０は取り外して洗濯し清潔にすることができ、ゴム風船３を内包する場合に傷つけることもなく幼児や高齢者も安心して取り扱うことができる。
ゴム風船３に充填した粉体８は外部に漏れることが全くないので、空中に浮遊することもなく、幼児や高齢者の健康に悪影響を及ぼさない。
更に、化粧外袋１０でカバリングしているので感触も良好である。化粧外袋１０は取り外して洗濯し再装着できるので衛生的にも良い。
【実施例５】
【００４５】
図６において、握り手玉を外袋または化粧外袋で外側を包んでいるとき、その外面に疣状の突出部９を手のひらで把握する時の感触に変化を与えるようにしたものである。  突出部９はとがり山や滴状に、ゴム又は樹脂材で散在付着させて形成している。手のひらを刺激したり、手のひらで握り手玉を持つ時に滑らないようにできるので指の把持力を補う役目を果たすことができる。
【実施例６】
【００４６】
また、凡その長さ比１：２の長方形の織地又は編地の布４枚を袋状に縫製してお手玉１１の外皮を形成する。充填材は弾性体チップを入れる。お手玉の感触を得るには適度の重さや、指先で上へ放り投げて手のひらで受け取る時、適度の音の発生が必要であるときは、充填材として弾性体チップの他に他の充填材を選択して付加充填する。
充填する充填材の量は、充填可能量の何％にするかは握り手玉の使用する目的・用途により決めれば良い。
【００４７】
お手玉１１に弾性的な反撥性が必要な場合は長方形の布を用いて縫製した袋に、弾性体チップを充填する。円筒の編地から作る場合は、円筒の一端を閉じ、反転させてから充填材を入れる。充填後に袋の閉じ部分が外にでないように繕う。
本実施例は従来のお手玉に類する遊具として使用できるのに加え、外袋の基材と充填材の選択により実施例１乃至４に類する使途が考えられる。
【図面の簡単な説明】
【００４８】
【図１】チップを充填した一部破断面とした外袋の正面図である。〔実施例１〕
【図２】塑性変形性を有する帯磁性弾性体チップを充填した外袋の中央部に外力を加えてひさご形にして塑性変形性を見ることができる外袋の正面図である。〔実施例２〕
【図３】方形の伸縮布から外袋又は化粧外袋を作る手順の一例である。（ａ）は伸縮布の断面図である。（ｂ）はパイル面を表にして方形の生地の上部・下部を折り返し止め紐を通し、それぞれの端を直線縫いで閉じる。（ｃ）はパイル面を中に折り曲げて合わせ面を直線縫いで閉じる。その後裏返してパイル面を表にして形成される外袋である。〔実施例３〕
【図４】図３に示す手順で作られた伸縮性ある外袋に弾性体チップ又は帯磁性弾性体チップを充填した握り手玉の正面図である。〔実施例３〕
【図５】図３に示す伸縮布で形成した化粧外袋でカバリングした握り手玉の正面図である。〔実施例４〕
【図６】手のひらに納まる化粧外袋に複数の突出部を付けた握り手玉の正面図である。〔実施例５〕
【図７】従来のお手玉に類似する握り手玉の平面図である。〔実施例６〕
【符号の説明】
【００４９】
１  外袋        ２  弾性体チップ
３  ゴム風船    ４  帯磁性弾性体チップ
５  伸縮布      ６  止め紐
７  弾性袋      ８  粉体
９  突出部      １０  化粧外袋
１１  お手玉
【図１】
0003107281.tif 000003
【図２】
0003107281.tif 000004
【図３】
0003107281.tif 000005
【図４】
0003107281.tif 000006
【図５】
0003107281.tif 000007
【図６】
0003107281.tif 000008
【図７】
0003107281.tif 000009